(57)【特許請求の範囲】
【請求項１】
異なる複数のシャッタ動作を持ち、低速シャッタ動作で得た信号に対して、高速シャッタ動作で得た映像信号を加算あるいは切り替えるカラー撮像装置において、
色信号に関しては、前記高速シャッタ動作により得られた異なる種類の色差信号（Ｒ−Ｙ），（Ｂ−Ｙ）のうち大きい方の信号を対数変換して対数変換特性を与えた信号を得ると共に、この対数変換特性を与えた信号と対数変換特性を与える前の信号とを除算して変化率を求め、この変化率と前記色差信号のうち小さい方の色差信号との乗算を行い、乗算により変換特性を与えた信号を得る第１の手段と、
前記対数変換特性を与えた信号に第1のバイアス信号を加算して変換後の大きい方の色差信号を得、前記対数変換特性を与えた信号と前記乗算により変換特性を与えた信号との除算で得られた出力に応じて前記第1のバイアス信号を変化させた第2のバイアス信号を作り、この第2のバイアス信号を前記乗算により変換特性を与えた信号に加算して変換後の小さい方の色差信号を得る第2の手段と
を有することを特徴とするカラー撮像装置。
【発明の詳細な説明】
【０００１】
【産業上の利用分野】
この発明はカラーテレビジョンカメラのダイナミックレンジ拡大に関するもので、特に、広範囲な輝度を持つ被写体像を撮像可能にするカラー撮像装置に関する。
【０００２】
【従来の技術】
従来、ＣＣＤ等の撮像素子を用いたカラーカメラでは、電荷の蓄積容量の限界と、その特性の関係でカメラの入射光量をある範囲内に抑えるようにして撮像していた。このため野外などでの撮像時には被写体の輝度範囲をカバーするダイナミックレンジを得られず撮像画像に問題があった。
【０００３】
図１０は従来のＣＣＤカラーカメラの構成図である。この図に於いて、撮像レンズ１１によって被写体からの光りを撮像素子１３に取り込む。このとき光量をあるレベルに設定するため撮像レンズに絞り１２を設け、撮像素子１３に入る光量を制御していた。光量の制御は撮像素子１３の出力を増幅器１４によって増幅した後、絞り制御回路１５に入力し、この絞り制御回路１５によって撮像素子１３に最適な光量になるように制御している。撮像素子１３の出力が大きくなれば絞りを絞り、小さくなれば絞りを開くよう制御する。このように撮像する被写体の入射光量を撮像素子１３に適合するように制御していた。
【０００４】
この結果、全体的には明るい被写体で部分的に暗い部分の被写体の撮像ができない。また、この場合と逆に、全体的には暗い被写体で、部分的には高い輝度の被写体に対しては撮像素子が飽和状態になり内容が不明細になり、広範囲な輝度を持つ被写体の明瞭な撮像は不可能であった。このように従来のカメラでは撮像素子単体の特性で決まる光量の範囲でしか良好な撮像はできなかった。
【０００５】
また、単板式等カラー撮像装置においては、輝度信号に色信号が多重されているため、高輝度の領域では、色再現ができないか、或いは高輝度部分の映像信号の領域では色信号を遮断する処置をしていた。すなわち、輝度信号処理回路１６から得られる輝度信号のレベルを検出部１７で検出し、輝度信号が高輝度の場合は、色信号処理回路１８の色信号出力を遮断するゲート回路１９を設けていた。このため、高輝度信号には色は再現されず無色にするような信号処理を行っていた。
【０００６】
【発明が解決しようとする課題】
上記したように従来の撮像装置においては、高輝度の領域では色は再現されずほとんど白色となるような信号処理を行っている。このために、輝度の変化が大きな被写体を画面内に納めると、良好な画像が得られないという問題がある。
【０００７】
そこでこの発明は、カラー撮像において、撮像素子に複数のシャッタ時間を設定し、撮像素子に対する撮像可能な範囲の拡大をはかる。すなわち、入射光量の範囲を低輝度用と高輝度用に分け撮像し信号処理することにより、暗い所から明るい所までの広範囲な光量の撮像を可能にするものである。そしてこの場合、特に色信号処理において、広範囲な輝度に渡って良好な色再現が得られるようにしたカラー撮像装置を提供することを目的とする。
【０００８】
【課題を解決するための手段】
この発明は、異なる複数のシャッタ動作を持ち、低速シャッタ動作で得た信号に対して、高速シャッタ動作で得た映像信号を加算あるいは切り替えるカラー撮像装置において、色信号に関しては、前記高速シャッタ動作により得られた異なる種類の色差信号（Ｒ−Ｙ），（Ｂ−Ｙ）のうち大きい方の信号を対数変換して対数変換特性を与えた信号を得ると共に、この対数変換特性を与えた信号と対数変換特性を与える前の信号とを除算して変化率を求め、この変化率と前記色差信号のうち小さい方の色差信号との乗算を行い、乗算により変換特性を与えた信号を得る第１の手段と、前記対数変換特性を与えた信号に第1のバイアス信号を加算して変換後の大きい方の色差信号を得、前記対数変換特性を与えた信号と前記乗算により変換特性を与えた信号との除算で得られた出力に応じて前記第1のバイアス信号を変化させた第2のバイアス信号を作り、この第2のバイアス信号を前記乗算により変換特性を与えた信号に加算して変換後の小さい方の色差信号を得る第2の手段とを有する。
【０００９】
【作用】
この発明によるカラー撮像装置で得られる作用は、広範囲な光量の被写体の撮像ができる。たとえば、低速のシャッタ速度を６０分に１とし撮像、高速のシャッタを１万分の１とすれば６０分に１の通常動作シャッタに比べ１６６倍の広範囲な撮像が可能となる。また、非常にかけ離れた輝度差の被写体も複数のシャッタ速度を設定することにより撮像が可能となる。そして特に、高輝度の部分でも色再現性が良い。
【００１０】
【実施例】
以下この発明の実施例を図面を参照して説明する。
図１はこの発明の一実施例である。撮像レンズ１０１を通った被写体像は、ＣＣＤ撮像素子１０２に結像される。ＣＣＤ撮像素子１０２は、ＣＣＤ駆動回路１０３からの高速シャッタと低速シャッタの制御信号により制御される。ＣＣＤ撮像素子１０２からの出力信号は、高速シャッタの信号と低速シャッタの信号が交互に出力される。この信号は、増幅及び前処理部１０４で所定の大きさに増幅され、輝度信号と色信号とに分離され、輝度信号処理回路１０５と色信号処理回路１０６に送られて、それぞれの信号が処理される。
【００１１】
輝度信号は、アナログデジタル（Ａ／Ｄ）変換部１０７によってアナログ信号からデジタル信号に変換される。このデジタル信号は、１垂直期間のメモリである２つの１Ｖメモリ１０８、１０９にそれぞれ入力し、高速シャッタ動作の信号（以下高速シャッタ信号）と低速シャッタ動作の信号（以下低速シャッタ信号）とに分離される。１Ｖメモリ１０８の入力側と出力側の信号は、切換回路１１０へ入力され、１Ｖメモリ１０９の入力側と出力側の信号は、切換回路１１１へ入力される。切換回路１１０、１１１は、間欠信号であった高速シャッタ信号と低速シャッタ信号とをそれぞれ連続信号として出力する。つまり切換回路１１０からは高速シャッタ信号、切換回路１１１からは低速シャッタ信号がそれぞれ得られる。
【００１２】
図２には、低速シャッタと高速シャッタの入射光量に対する映像出力を示している。低速シャッタによる出力特性は３０３、高速シャッタによる出力特性は３０４でであり、低速シャッタ出力の飽和点が３０１、高速シャッタの飽和点が３０３である。
【００１３】
この２つの信号は、それぞれ特性変換部１１２、１１３で例えばガンマ特性を得るために対数変換される。この対数変換特性は、異なるシャッタ速度に応じて変える必要がある。高速シャッタ信号は、加算部及びバイアス設定部（図示せず）により図３に示すようにバイアス電圧４０２が加算される。これらの信号は、図３に示すように切り換え点４０１で低速シャッタ出力から高速シャッタ出力に切り換えることにする。バイアス電圧４０２は、低速シャッタ信号から高速シャッタ信号に切り換える時に信号の連続性を保つために加算する電圧である。この切り換え制御信号は、高速シャッタ信号、低速シャッタ信号のいずれを用いても作成することができる。この切換制御信号は、比較器１１７において作成されており、切換回路（合成器）１１８の制御端子に供給されている。これにより切換回路１１８からは、図３に示すように低速シャッタ信号と高速シャッタ信号との合成された信号を得ることができ、この信号は、Ｄ／Ａ変換部１１９において、アナログ信号に変換される。
【００１４】
一方、色信号系統については、以下のような処理が行われる。
このシステムでは、色信号処理回路１０６から得られる線順次の色差信号である（Ｒ−Ｙ）、（Ｂ−Ｙ）信号を用いている。通常、単板式ＣＣＤカラー撮像では（Ｒ−Ｙ）信号と（Ｂ−Ｙ）信号とが線順次信号となっておりこれを用いている。この色差信号も、高速シャッタ信号と低速シャッタ信号とが輝度信号と同様垂直同期の周期で交互に出力される。
【００１５】
この色差信号は、Ａ／Ｄ変換部１２０によってアナログ信号からデジタル信号に変換される。このデジタル信号は、１垂直期間のメモリである２つの１Ｖメモリ１２１、１２２にそれぞれ入力される。１Ｖメモリ１２１の入力側と出力側の信号は、切換回路１２３へ入力され、１Ｖメモリ１２２の入力側と出力側の信号は、切換回路１２４へ入力される。切換回路１２３、１２４は、間欠信号であった高速シャッタ信号と低速シャッタ信号とをそれぞれ連続信号として出力する。つまり切換回路１２３からは高速シャッタ信号、切換回路１２４からは低速シャッタ信号がそれぞれ得られる。
【００１６】
次に上記したように色差信号である（Ｒ−Ｙ）、（Ｂ−Ｙ）信号は、線順次であるから、同時化するための処理が施される。即ち、切換回路１２３、１２４の出力は、１水平期間の遅延量を持つ１Ｈメモリ１２５、１２６にそれぞれ供給される。１Ｈメモリ１２５の入力側と出力側の高速シャッタ信号は、切換回路１２７に入力され、また１Ｈメモリ１２６の入力側と出力側の低速シャッタ信号は、切換回路１２９に入力される。
【００１７】
これにより切換回路１２７からは、同時化された高速シャッタ（Ｒ−Ｙ）信号、（Ｂ−Ｙ）信号、切換回路１２４からは、同時化された低速シャッタ（Ｒ−Ｙ）信号、（Ｂ−Ｙ）信号が得られる。切換回路１２４から得られる、低速シャッタ（Ｒ−Ｙ）信号、（Ｂ−Ｙ）信号は、それぞれ基準レベルがレベル設定回路１７１、１７２により設定された後、合成部１７３に入力される。
【００１８】
切換回路１２７から得られる、高速シャッタ（Ｒ−Ｙ）信号、（Ｂ−Ｙ）信号は、特性変換部１８１、演算部１８２で構成される特性変換処理部に入力されて、映像として映し出されたときに、より自然な形の色再現を得るように特性変換されて、合成部１７３に入力される。
【００１９】
ここで特性変換部１８１で処理される場合、（Ｒ−Ｙ）、（Ｂ−Ｙ）信号のうちレベルの大きい方が特性変換され、その変換の割合に応じて他方の信号が演算部１８２において演算処理により変換されると言う手法が取られている。この理由については後述するが、各軸成分に分離されている（Ｒ−Ｙ）、（Ｂ−Ｙ）信号の双方とも同様な特性変換を行ったのでは、合成時に元の色相からずれてしまうからである。（Ｒ−Ｙ）、（Ｂ−Ｙ）信号のうちレベルの大きい方を検出するのは比較部１８３である。また比較部１８３では、図３で示した切換点も検出しており、合成部１７３の選択状態を制御している。
【００２０】
このシステムは、特に色信号の撮像及びその撮像色信号の色再現性のダイナミックレンジを大幅に拡大しているもので、その信号処理で重要な部分は、特性変換部１８１、演算部１８２にある。
【００２１】
図４には、特性変換部１８１、演算部１８２のうちでも特に重要な構成の例を示している。色差信号のうちレベルの大きい方が、例えば対数変換器５０１に入力されて特性変換される。この特性変換の変換率は、対数変換器５０１の入力側と出力側の信号を演算器５０２で割り算することで求まる。したがって、この変換率を現す係数を、演算器５０３で他方の色差信号に乗算してやれば、他方の色差信号もレベルの大きい方に適合して特性変換が得られる。
【００２２】
このことは、図５により理解できる。図５には、低速シャッタ信号を（ＲＬ−ＹＬ）、（ＢＬ−ＹＬ）で示し、高速シャッタ信号を（ＲＨ−ＹＨ）、（ＢＨ−ＹＨ）で示している。図の例であると、（ＲＨ−ＹＨ）＞（ＢＨ−ＹＨ）であるから、（ＲＨ−ＹＨ）信号が対数変換される。ここで（ＢＨ−ＹＨ）信号も同様に対数変換したのでは、合成したときに、本来のベクトルが得られず縮小されただけのものになる。そこで、上述した特性変換処理が必要となる。
【００２３】
次に、図３で示したように、高速シャッタ信号に対しては、切換え点におけるバイアス電圧を加算してやる必要がある。そこで、まず加算器５１１において対数変換器５０１の出力に、バイアス回路５１２からのバイアス電圧が加算される。一方、演算器５０３の出力に対しても、バイアス電圧を加算しなければならないが、対数変換器５０１の出力に加算したのと同様に加算したのでは、合成したときのベクトルが本来の向きと異なってしまう。そこで、対数変換器５０１の出力と演算器５０３の出力とを演算器５１３に入力して割り算を行い、両者間の比率を求める。そしてこの比率を、演算器５１４においてバイアス電圧に乗算し、この結果得られたバイアス電圧を加算器５１５において、演算器５０３の出力に加算するようにしている。これにより、２つの色差信号のそれぞれに対して、バイアス電圧を与える前に合成した時のベクトルの向きと、バイアス電圧を与えた後に合成した時のベクトルの向きが変化することがない。
【００２４】
このことは、図６により理解できる。図６に示すように、色相に応じて（Ｒ−Ｙ）、（Ｂ−Ｙ）信号の大きさは異なる。これらの信号にバイアスを与える場合合、両者に同じバイアス電圧を与えたのでは、本来のベクトルの向きに狂いが生じてしまう。そこで、上記のような処理を行うことにより、２つの色差信号のそれぞれに対して、バイアス電圧を与える前に合成した時のベクトルの向きと、バイアス電圧を与えた後に合成した時のベクトルの向きが変化することがない。
【００２５】
以上、この発明の基本的な実施例を示した。次に、更にこの発明の具体的な他の実施例を示す。
図７には輝度信号系統、図８及び図９には色信号処理系統を示している。
【００２６】
図７から説明する。撮像レンズ２０１で撮像された被写体像はＣＣＤ撮像素子２０２に結像させる。ＣＣＤ撮像素子２０２は、ＣＣＤ駆動回路２０３からの高速シャッタと低速シャッタの制御信号により制御される。ＣＣＤ撮像素子２０２の出力信号としては、高速シャッタの信号と低速シャッタの信号が交互に出力される。この信号は増幅及び前処理部２０４で所定の大きさに増幅され、輝度信号と色差信号とに分離され、それぞれの信号は、輝度信号処理回路２０５と色信号処理回路２０６に送られ処理される。
【００２７】
輝度信号は、Ａ／Ｄ変換部２０７によってアナログ信号からデジタル信号に変換される。このデジタル信号は、１垂直期間のメモリである２つの１Ｖメモリ２０８、２０９にそれぞれ入力され、２つの切換回路２１０、２１１により高速シャッタ信号と低速シャッタ信号とに分離されるとともに間欠信号であった高速シャッタ信号と低速シャッタ信号はそれぞれ連続信号となる。切換回路２１０から高速シャッタ信号、切換回路２１１から低速シャッタ信号が得られる。
【００２８】
この２つの信号は特性変換部２１２、２１３で例えば対数変換される。この対数変換特性は異なるシャッタ速度に応じて変える必要がある。高速シャッタ信号は加算部２１４及びバイアス設定部２１５により、図３の４０２の大きさのバイアス電圧が加算される。これらの信号は図３に示すように切り換え点４０１で低速シャッタ信号出力から高速シャッタ信号出力に切り換えられる。このバイアス電圧は、低速シャッタ信号から高速シャッタ信号に切り換える時に信号の連続性を保つために加算する電圧である。この切り換え制御信号は、高速シャッタ信号、低速シャッタ信号のいずれを用いても作成することができるが、この実施例では低速シャッタ信号を用いている。
【００２９】
比較回路２１７は、比較値設定部２１６からの設定値と切り換え回路２１１からの出力との比較を行い切り換え点を検出し、設定値より大きい場合には低速シャッタ信号から高速シャッタ信号が選択されるように切換回路２１８を制御している。切換回路２１８の出力信号は、Ｄ／Ａ変換部２１９でデジタル信号からアナログ信号に変換されて出力される。このように低輝度の被写体に対しては低速シャッタ信号として撮像し、高輝度の被写体に対しては高速シャッタ信号として撮像することにより低輝度から高輝度の被写体に対応した撮像が可能となる。
【００３０】
次に色信号処理系統について説明する。色信号系統は、図８及び図９に渡ってしめされている。ＣＣＤ撮像信号は色信号処理回路２０６によって２つの色差信号である（Ｒ−Ｙ）、（Ｂ−Ｙ）信号に変換された信号なる。通常、単板式ＣＣＤカラー撮像では前記の（Ｒ−Ｙ）信号と（Ｂ−Ｙ）信号とが線順次信号となっている。この色差信号を用いた方式についての実施例を説明する。
【００３１】
色差信号は高速シャッタ信号と低速シャッタ信号が垂直同期の周期で交互に得られる。この色差信号は、Ａ／Ｄ変換部２２０によってアナログ信号からデジタル信号に変換される。このデジタル信号は１垂直期間のメモリである２つの１Ｖメモリ２２１、２２２にそれぞれ入力され、２つの切換回路２２３、２２４により高速シャッタ信号と低速シャッタ信号とに分離される。ここまでは輝度信号と同様であるが、前述の通り２つの色差信号は１水平期間毎にが交互に現れる。この信号を連続信号に直すため１水平期間の遅延回路である１Ｈメモリ２２５、２２６で遅延させた信号と、遅延しない信号とを切換回路２２７、２２８及び２２９、２３０を用いて連続信号に変換する。
【００３２】
同時に２つの色差信号の分離も行われる。
切換回路２２７は、高速シャッタ用（Ｒ−Ｙ）信号、切換回路２２８は高速シャッタ用（Ｂ−Ｙ）信号、切換回路２２９は低速シャッタ用（Ｒ−Ｙ）信号、切換回路２３０は低速シャッタ用（Ｂ−Ｙ）信号である。
【００３３】
高速シャッタ用の信号系統を説明する。
高速シャッタ用の色差信号（Ｒ−Ｙ）信号は、正極性変換部２３１と極性判断部２３２に送られる。また、（Ｂ−Ｙ）信号は正極性変換部２３３と極性判断部２３４に送られる。このように高速シャッタ信号の２つの色差信号は正極性変換部で正極性に合わせる。これは色差信号は正と負の信号が有るためでり、後続部での信号処理での取扱を容易にするためである。たとえば８ビットの場合、最大数２５５の半分の１２８が中心で色差信号が零信号となるようなＡ／Ｄ変換を行っているので、これより小さい値を１２８から折り返すような動作を行い、１２８が０となるようこの正極性変換部で行い、正極性に合わせる。同時に極性判断部で折り返した信号を監視し、後で極性を戻す時の信号に用いる。これら２つの正極性変換部２３１、２３４の出力は、大小比較部２３５に入力されるとともに、それぞれ切換回路２３６と２３７（図９）に送られる。
【００３４】
比較回路２３５は、（Ｒ−Ｙ）信号と（Ｂ−Ｙ）信号とを比較し、大きい方が切換回路２３６、２３７で選ばれるように制御し、大きい方が特性変換部２３８に送られ対数変換特性を与えられる。この対数変換を（Ｒ−Ｙ）と（Ｂ−Ｙ）信号とに単に対数変換を行った場合は、色相に変化が生じることは先に説明した通りである。たとえば、これら２つの信号が正極性で相対的に（Ｒ−Ｙ）信号が（Ｂ−Ｙ）信号より大きい場合、変換する前と変換した時で色相が変化し図５に示す（Ｂ−Ｙ）軸の方へ近づくことになる。すなわち、対数変換することにより２つの色差信号の比が小さくなり、小さい色差信号の軸に近づくことになる
この色相の変化をなくすため下記の信号処理を行う。特性変換部２３８の出力と入力信号とで演算部２３９で演算（割算）を行う。この演算結果を小さい方の信号に対して、演算部２０４で演算（掛算）を行う。これは特性変換結果を（Ｒ−Ｙ）信号と（Ｂ−Ｙ）信号に相対的に同じ割合で特性変換を行うことを意味し、これにより色信号が色相歪がなく特性変換できる。
【００３５】
次に特性変換部２３８の出力は、輝度信号と同じく加算部２４１に送られてバイアス設定部２４２からバイアス電圧が加算される。このバイアス電圧は、低速シャッタ信号から高速シャッタ信号に色差信号が切り換わる時に色信号が連続してつながるようにするためである。このバイアス電圧は、他方の色差信号にも与える必要がある。しかし同じバイアス電圧では色歪が生じてしまう。これは（Ｒ−Ｙ）信号と（Ｂ−Ｙ）信号では色によつてその大きさの比率が異なるためである。
【００３６】
図６のＡ点が低速シャッタの色信号ベクトル表示で被写体輝度により０点からＡ点に向かって色信号が大きくなって行き、Ａ点の飽和に達すると、単板式ＣＣＤカラーカメラでは色信号は減少し消えてしま。このため、Ａ点の大きさのバイアス電圧を与える必要があるが、図６に示すように（Ｒ−Ｙ）と（Ｂ−Ｙ）信号では当然その大きさが異なりＡ点の（Ｒ−Ｙ）軸と（Ｂ−Ｙ）軸に分離された大きさのバイアス信号（バイアスＲ）、（バイアスＢ）を与える必要がある。例えば、（Ｒ−Ｙ）信号が１、（Ｂ−Ｙ）信号が０．５の場合、低速（Ｒ−Ｙ）信号に２のバイアス電圧が必要な時には、（Ｒ−Ｙ）信号と（Ｂ−Ｙ）信号の比率を求め、この比率に先のバイアス電圧倍して１を求めて（Ｂ−Ｙ）信号に加算すれば色相の変化を生じること無く切り換えることができる。
【００３７】
このために、特性変換部２３８の出力並びに演算部２４０の結果を用いて、演算部２４３で２つの色信号間で演算（割算）を行い、この結果を次の演算部２４４に入力し、バイアス設定部２４２からのバイアス電圧に対して演算（掛算）を行い色信号の大きさに応じたバイアス電圧を作り、これを（Ｂ−Ｙ）信号に加算部２４５で加算する。これらの色差信号は、２つの極性変換部２４６、２４７で前記の正極性変換前の色信号形態に戻す。（Ｒ−Ｙ）信号と（Ｂ−Ｙ）信号とを判別する信号を、前記の大小比較部２３５の結果と切換回路２４８、２４９の信号を用いて元の形態に戻す。すなわち極性判断部２３２、２３３で判断した極性情報の信号を極性変換部２４６、２４７に与えて用いることになる。これら２つの極性変換部２４６、２４７でもとの信号形態に戻された色信号は（Ｒ−Ｙ）信号と（Ｂ−Ｙ）信号との判断がなされていないので、低速シャッタの色信号から高速シャッタの色信号とを切り換えるには（Ｒ−Ｙ）信号と（Ｂ−Ｙ）信号とを判断しておく必要がある。これを前記大小比較部２３５から信号を用い、切換回路２５０、２５１で行い２つの（Ｒ−Ｙ）信号と（Ｂ−Ｙ）信号との判断がなされ後、後に続く低速シャッタの色信号と高速シャッタの色信号とを切り換える２つの切換回路２５２、２５３に送られる。
【００３８】
ここで用いられる切り換え信号は、輝度信号の比較部２１７の切り換え信号を用いることもできる。また、前記高速シャッタの色差信号の大きい信号を切換回路２３６から信号を受けとり、比較部２５４で設定部２５５の設定値と比較し、設定値以上の時の信号を検出し切り換えることもできるが、輝度信号の切り換え信号だけでの切り換えは、切り換え不要な無色の時にも発生する可能性があるのでこの実施例ではアンド回路２５６を用い輝度信号用と色信号用の２つの信号から切り換え信号を得ている。
【００３９】
この信号は切換回路２５７で（Ｒ−Ｙ）信号と（Ｂ−Ｙ）信号を線順次信号にした後、Ｄ／Ａ変換部２５８に入力する。ここではデジタル信号からアナログ信号に変換され出力される。切換回路２５７は特に必要はないが、Ａ／Ｄ変換部２２０の入力信号と同じ信号形態にするためこのような回路構成にした。
【００４０】
【発明の効果】
上記したようにこの発明によれば複数種の電子シャッタを用いて撮像し、得られた映像信号を信号処理し、広範囲な光量の撮像が可能となる。また、シャッタ速度を複数種にすれば非常に広範囲な輝度差の被写体が可能となる。撮像映像信号の連続性を無視すれば非常に高輝度の被写体と非常に低輝度の被写体を同時に撮像し見ることができ特殊な監視カラーカメラ装置ができるなど非常に大きな効果が得られる。特に、色信号処理は色差信号を用いたことにより一般のカラー撮像装置にも応用できる効果があるし、また色再現性の良いカラー撮像信号を得ることができる。
【図面の簡単な説明】
【図１】この発明の一実施例を示す図。
【図２】はシャッタ動作の映像出力特性を示す図。
【図３】映像切り換えの説明図。
【図４】色信号処理部の構成図。
【図５】色信号のベクトル説明図。
【図６】色信号のベクトル説明図で特にバイアス電圧の説明図。
【図７】この発明の第２の実施例における輝度信号系統の具体的回路図。
【図８】同じくこの発明の第２の実施例における色信号系統の具体的回路図。
【図９】図８の続きを示す図。
【図１０】従来のカラー撮像装置の回路図。
【符号の説明】
１０１、２０１…撮像レンズ、１０２、２０２…ＣＣＤ撮像素子、１０３、２０３…ＣＣＤ駆動回路、１０４…増幅及び前処理部、２０４…増幅器、１０５、２０５…輝度信号処理回路、１０６、２０６…色信号処理回路、１０７、２０７、２２０…Ａ／Ｄ変換部、１０８、１０９、１２１、１２２、２０８、２０９、２２１、２２２…１Ｖメモリ、１２５、１２６、２２５、２２６…１Ｈメモリ、１１２、１１３、１８１、２１２、２１３、２３８…特性変換部、２１４、２４１、２４５…加算回路、２１７、２５４…比較回路、２３１、２３４…正極性変換部、２３２、２３３…極性判断部、２３５…大小比較部、２５６…アンド回路、１１９、１７４、２１９、２５８…Ｄ／Ａ変換部、１１０、１１１、１１８、１２３、１２４、１２７、１２９、２１０、２１１、２１８、２２３、２２４、２２７、２２８、２２９、２３０、２３６、２３７、２４６、２４７、２４８、２４９、２５０、２５１、２５２、２５３、２５７…切換回路、１８２、２３９、２４０、２４３、２４４…演算部、２４６、２４７…極性変換部。
【図１】
0003617857.tif 000002
【図２】
0003617857.tif 000003
【図３】
0003617857.tif 000004
【図４】
0003617857.tif 000005
【図５】
0003617857.tif 000006
【図６】
0003617857.tif 000007
【図７】
0003617857.tif 000008
【図８】
0003617857.tif 000009
【図９】
0003617857.tif 000010
【図１０】
0003617857.tif 000011